(57)【要約】【課題】扉の内側からでも外側からでも容易に施錠することが可能であるとともに、扉の内側で施錠した状態のとき扉の外側で施錠することが不可能となる施錠装置の提供を目的とする。【解決手段】扉側金具と、扉の周囲の枠部側金具とを備え、扉側金具と枠部側金具の少なくとも何れか一方の金具が、扉または枠部に穿設された挿通孔を通じて、扉または枠部の内外方向にスライド自在で、扉または枠部の内外面から突出された他方の金具の施錠部に施錠される施錠部がそのスライド方向の両端に設けられた可動部を有し、この可動部は、扉または枠部の内面側の施錠部が他方の金具の施錠部との施錠位置まできたとき、扉または枠部の外面側の施錠部が他方の施錠部と施錠不可位置に移動するようになっている構成とした。【選択図】      図１
2004308189.tif 000002
【特許請求の範囲】
【請求項１】
扉に取り付けられる扉側金具と、扉の周囲の枠部に取り付けられる枠部側金具とを備え、扉側金具と枠部側金具の少なくとも何れか一方の金具が、扉または枠部に穿設された挿通孔を通じて、扉または枠部の内外方向にスライド自在で、扉または枠部の内外面から突出された他方の金具の施錠部に施錠される施錠部がそのスライド方向の両端に設けられた可動部を有し、
この可動部は、扉または枠部の内面側の施錠部が他方の金具の施錠部との施錠位置まできたとき、扉または枠部の外面側の施錠部が他方の施錠部と施錠不可位置に移動するようになっていることを特徴とする施錠装置。
【請求項２】
可動部が、円弧状に形成されている請求項１に記載の施錠装置。
【発明の詳細な説明】
【０００１】
【発明の属する技術分野】
本発明は、玄関の扉を不正に開放することを防止するために取り付けられる施錠装置に関する。
【０００２】
【従来の技術】
一戸建て住宅やマンションなどの玄関扉には、施錠装置が設けられているのが一般的であるが、近年、ピッキング、カム送り、サムターン回しなどにより不正に錠を開けて室内に侵入する事件が相次いで起こっており問題となっている。
【０００３】
そこで、ピッキングやサムターン回しなどを防止することができる解錠防止装置として様々な提案がなされている。（たとえば、特開２００２−２５６７３８号公報、特開２００３−１３６３７号公報参照。）
【０００４】
【特許文献１】特開２００２−２５６７３８号
【特許文献２】特開２００３−１３６３７号
【０００５】
しかし、特開２００２−２５６７３８号公報に記載されている扉開放防止装置は、扉の外側に設けるようになっているため、室内に人がいるときに、悪戯などで扉の外部から施錠を行ってしまうと、扉の内側から扉を開放することが不可能となってしまい、室内に閉じ込められてしまうという問題がある。
【０００６】
また、特開２００３−１３６３７号公報に記載されている解錠防止具は、扉の内側に取り付けられるようになっているため、外出時など、屋内に人がいない場合使用することができないという問題がある。
【０００７】
また、従来、扉に設けられている錠は、不正に解錠しても痕跡が殆ど残らないため、室内にまだ侵入者が入っているときに、部屋主が帰宅したら、そのまま室内に入り侵入者と鉢合わせしてしまうおそれもある。
【０００８】
そこで、従来、扉に設けられている錠に加えて、防犯効果を高めるために、図５に示したような補助的な施錠装置１０を扉外側に取り付けることも行われている。
施錠装置１０は、扉と枠部との境界を挟むように、施錠孔１２１が穿設されてなる板体１２０を備えた蝶番１２と、施錠孔１２０に嵌合させ、この嵌合させた状態を保持するように錠前Ｋを取り付けるようになっているリング状の突起１３１を備えた施錠部１３とが扉と枠部のそれぞれに一対となるように設けられた構成をしている。
【０００９】
【発明が解決しようとする課題】
しかし、上述した施錠装置１０は、扉の内側および外側の何れも施錠可能とするためには、扉の内側および外側のそれぞれに一対の蝶番１２と施錠部１３を取り付けなければならず、また、扉の外側の施錠を行っていないときでも、扉の外側に蝶番１２および施錠部１３が設けられた状態にあるので、扉の外側からの見栄えが非常に悪くなってしまうという問題がある。
【００１０】
また、施錠装置１０の扉の外側部分は、扉が閉じられた状態にあれば、いつでも施錠することができるため、扉内に人がいる場合でも、扉の外側で、悪戯などにより施錠装置１０を施錠状態にしたとき、扉の内側から解錠することができず、扉内側に閉じ込められてしまうという問題がある。
【００１１】
そこで、本発明は、上記問題点に鑑みてなされ、扉の内側からでも外側からでも容易に施錠することが可能であるとともに、扉の内側で施錠した状態のとき扉の外側で施錠することが不可能となる施錠装置の提供を目的としている。
【００１２】
【課題を解決するための手段】
このような目的を達成するために、本発明の請求項１にかかる施錠装置（以下、「請求項１の施錠装置」とのみ記す。）は、扉に取り付けられる扉側金具と、扉の周囲の枠部に取り付けられる枠部側金具とを備え、扉側金具と枠部側金具の少なくとも何れか一方の金具が、扉または枠部に穿設された挿通孔を通じて、扉または枠部の内外方向にスライド自在で、扉または枠部の内外面から突出された他方の金具の施錠部に施錠される施錠部がそのスライド方向の両端に設けられた可動部を有し、この可動部は、扉または枠部の内面側の施錠部が他方の金具の施錠部との施錠位置まできたとき、扉または枠部の外面側の施錠部が他方の施錠部と施錠不可位置に移動するようになっていることを特徴とする構成とした。
【００１３】
また、本発明の請求項２にかかる施錠装置（以下、「請求項２の施錠装置」と記す。）は、請求項１の施錠装置の構成に加えて、可動部が、円弧状に形成されている構成とした。
【００１４】
上記構成において、扉の周囲の枠部としては、扉枠に加えて、扉の周囲に位置する壁や柱なども含まれ、扉の周囲に設けられているものであれば特に限定されない。
また、可動部は、扉側金具と枠部側金具の少なくとも何れか一方に設けられていれば、扉側金具と枠部側金具の両方に設けられていても構わない。
【００１５】
また、可動部の形状は、特に限定されないが、たとえば、板状や棒状などの形態が挙げられる。
このとき、可動部は、先端部近傍が折れ曲がり自在に形成されていたり、請求項２の施錠装置のように円弧状に形成されていたりすると、扉と枠部との間に段差がある場合でも問題なく施錠することが可能となるため好ましい。
【００１６】
また、本発明にかかる施錠装置は、扉または枠部の内面側、外面側の何れかにおいて少なくとも施錠状態にあるとき、挿通孔を通じて扉または枠部の内外の視界を遮るような目隠し板や雨風の侵入を防止するための防水パッキンなどが設けられていることが好ましい。
【００１７】
【発明の実施の形態】
以下に、本発明の実施の形態を、図面を参照しつつ詳しく説明する。
図１は、本発明にかかる施錠装置の一実施の形態を示した斜視図である。
図１に示したように、施錠装置１は、扉側金具２と枠部側金具３とを備え、これら金具が錠前（図示せず）により連結固定されることで施錠が行われるようになっている。
【００１８】
扉側金具２は、図１〜図３に示したように、扉４に取り付けられており、可動部２１と支持部２２とを備えている。
可動部２１は、図２に示したように、円弧状に形成されており、一端で枠部側金具３と施錠状態にあるとき、他端が扉４の表面から突出しないような長さに形成されている。
また、可動部２１は、図１および図２に示したように上下方向に穿設されたピン孔２１ａと、施錠部となる施錠孔２１ｂと、ガイド部２１ｃとを備えている。
【００１９】
ピン孔２１ａでは、図３に示したように、後述する支持部２２に設けられた固定用孔２２ａを介してピンＰを挿し込むことにより、可動部２１が固定状態に保持されるようになっている。
施錠孔２１ｂは、図１および図３に示したように可動部２１の内部の長手方向に沿って穿設されており、図２に示したように、可動部２１の略両端部分において、後述する枠部側施錠部３１との間で、錠前Ｋを介して施錠されるようになっている。
【００２０】
ガイド部２１ｃは、図４に示したように、後述するローラー２４の外周面に当接されるようにガイドされることで、可動部２１のスライド移動がローラー２４の回転力を利用して容易になされるのを助けるようになっている。
【００２１】
支持部２２は、鉄などの金属により形成されており、図２に示したように、扉４の内外面で固定されているとともに、可動部２１を挿通させる挿通孔２３を備えている。
また、支持部２２は、ローラー２４と、心棒２５と、ストッパー２６とを備えており、挿通させている可動部２１が挿通孔２３から抜け出ないように形成されている。
【００２２】
挿通孔２３は、図１および図２に示したように、支持部２２の略中央位置で、扉４の内外面の間を穿設することで形成されており、前述したように可動部２１を挿通させるようになっている。
【００２３】
ローラー２４は、図２および図４に示したように支持部２２の挿通孔２３内に設けられており、可動部２１に設けられているガイド部２１を介してローラー２４の回転力を可動部２１に伝えることで、可動部２１がスライド移動するのを補うようになっている。
【００２４】
心棒２５は、図２に示したように、支持部２２の挿通孔２３内における略中央位置で、挿通孔２３に挿通されている可動部２１の施錠孔２１ｂを貫通するように設けられ、後述するストッパー２６が破損したとき、予備のストッパーとしての役割を有するようになっている。
【００２５】
ストッパー２６は、図２に示したように、支持部２２の挿通孔２３内における扉４の内面側および外面側のそれぞれの位置で挿通孔２３に挿通されている可動部２１の施錠孔２１ｂを貫通するように設けられていることにより、可動部２１が挿通孔２３から抜け出ることを防止するようになっている。
【００２６】
枠部側金具３は、図２に示したように枠部５の両面から枠部側施錠部３１が突出するように、枠部５に固定されている。
枠部側施錠部３１は、先端に施錠用の孔が形成されており、図２の仮想線で示したように、可動部２１とを錠前Ｋを介して施錠することが可能となっている。
【００２７】
上述したような構成をした施錠装置１は、可動部２１が円弧形状をしているため、可動部２１の施錠孔２１ｂの端部で枠部側施錠部３１と施錠するとき、可動部２１の扉４側に位置する部分が扉４面から浮き上がった状態となり、扉４と枠部５との間に多少の段差があったとしても問題なく施錠することが可能となる。
【００２８】
次に施錠装置１を用いた扉４の施錠例を説明する。
外出時など施錠装置１を用いて、扉４の外側を施錠したいときは、可動部２１を扉４の外側にスライド移動させて、図１〜図３に示したように、可動部２１の一方の端部を枠部側金具３の枠部側施錠部３１と対峙する位置に配置させる。
その後、図２の仮想線で示したように、施錠孔２１ｂと枠部側施錠部３１との間に錠前Ｋを掛け渡して扉４の施錠を行う。
【００２９】
以上のように施錠装置１で施錠を行うと、扉４に通常設けられている鍵に加えて施錠装置１の施錠解除をしなければならないため、解錠に時間がかかることとなり扉４が不正に開けられる確率が低くなる。
【００３０】
また、施錠装置１は、扉４の外側から不正に解錠されたか否かを容易に視認することができ、不正な侵入者と不用意に出くわすことがなく安全である。
また、侵入者側に対しては、解錠された施錠装置１が外部から視認可能な状態で放置されているまま扉４内へ心理的に侵入しにくくなるという抑止効果を与えることとなる。
さらに施錠装置１は、扉４の内側からでも施錠することが可能であるため、小さな子供や痴呆症の老人が扉４の外に勝手に出て行くことを防止することもできる。
【００３１】
次に、施錠装置１を用いて上記施錠状態を解除して扉の内側で施錠するまでの解錠例について説明する。
まず、施錠していた錠前Ｋを解錠して施錠孔２１ｂおよび枠部側施錠部３１から取り外す。
【００３２】
次に、可動部２１を扉４の内側方向にスライド移動させる。このとき、図３に示したように固定用孔２２ａにピンＰを差し入れておくと、可動部２１のピン孔２１ａが上記ピンＰの差し入れ位置に来たとき、ピンＰが自重でピン孔２１ａに嵌まり込み、可動部２１が固定された状態となる。（図２の実線参照）
このようにすると、扉４の開閉時に可動部２１の先端が、枠部５の扉側端部にぶつかって破損するおそれがなくなる。
【００３３】
また、再度可動部２１を可動状態にするときは、ピンＰを引き上げてピン孔２１ａを固定用孔２２ａから外すようにスライド移動させればよい。
また、扉４の内側での施錠は、上述したのと同様に行えばよい。
【００３４】
上述したように扉４の内側で施錠したとき、可動部２１の外側端部が扉４の外側面よりも内方に配置されていることとなるため、扉４の内部に人がいるとき、扉４の外側からいたずらなどで施錠装置１を用いて施錠することが不可能となる。
【００３５】
なお、本発明にかかる施錠装置は、上記実施の形態に限定されない。
たとえば、上記実施の形態において、施錠装置１は、錠前Ｋが、扉側金具２および枠部側金具３とは別体であったが、錠前を扉側金具または枠部側金具３の何れかと一体となるように形成しても構わない。
【００３６】
【発明の効果】
以上のことより、本発明にかかる請求項１の施錠装置は、可動部が扉の内側および外側へスライド移動するため、扉の内側からでも外側からでも容易に施錠することが可能であるとともに、扉の内側で施錠した状態のとき扉の外側で施錠することが不可能となる。
したがって、扉を不正に開放することが行われにくくなるとともに、施錠状態を不正に解除するためには、施錠装置自身を破損しなければならず、室内に侵入者がいるとき、知らずに室内に入ってしまい侵入者と出くわすことが起こりにくくなるとともに、悪戯などで扉の内側に人がいるとき、扉の外側から施錠して扉の外側に出れなくなってしまうことがなくなる。
【００３７】
また、本発明にかかる請求項２の施錠装置は、請求項１の施錠装置の効果に加えて、少々、扉と枠部との間に段差があっても、可動部が円弧状に形成されているため、問題なく施錠することが可能となる。
【図面の簡単な説明】
【図１】本発明にかかる施錠装置を扉に取り付けた様子を示した斜視図である。
【図２】図１に示した施錠装置の上面視断面図である。
【図３】図１に示した施錠装置の正面図である。
【図４】図１に示した施錠装置の内部を示した断面図である。
【図５】従来の施錠装置を示した説明図である。
【符号の説明】
１        施錠装置
２        扉側金具
２１      可動部
２２      支持部
３        枠部側金具
【図１】
2004308189.tif 000003
【図２】
2004308189.tif 000004
【図３】
2004308189.tif 000005
【図４】
2004308189.tif 000006
【図５】
2004308189.tif 000007